(57)【要約】【課題】複数の基板に対するレーザユニットの電気的接続を確実に容易に行うことができる光ピックアップ装置、ディスクドライブ装置および光ピックアップ装置の製造方法を提供する。【解決手段】この光ピックアップ装置では、電極端子３と一体になっているレーザユニット５の樹脂部１１を段差形状にすることで、この段差形状の樹脂部１１を、第１,第２のフレキシブル基板部７,１０を所定間隔を隔てて対向するように保持する保持部としている。よって、この光ピックアップ装置によれば、樹脂部１１の段差１１Ｃによって、追加部品を要することなく、レーザユニット５の電極端子３と第１のフレキシブル基板７の第１の電気接続端子(図示せず)とが電気的に接続される箇所から貫通方向に離間した箇所で第２のフレキシブル基板１０を確実に保持できる。【選択図】図１Ａ
2009146534.tif 000002
【特許請求の範囲】
【請求項１】
半導体レーザが搭載される搭載部とこの搭載部から所定の方向へ延在する複数の電極端子とを有するレーザユニットと、
上記電極端子が貫通する第１の孔と上記電極端子に電気的に接続される第１の電気接続端子とを有する第１のフレキシブル基板部と、
上記電極端子が貫通する第２の孔と上記電極端子に電気的に接続される第２の電気接続端子とを有する第２のフレキシブル基板部と、
上記第１のフレキシブル基板部と第２のフレキシブル基板部とが上記電極端子の延在方向に所定間隔を隔てて対向するように上記第１,第２のフレキシブル基板部を保持する保持部と
を備えることを特徴とする光ピックアップ装置。
【請求項２】
請求項１に記載の光ピックアップ装置において、
上記保持部は、
上記レーザユニットの上記電極端子と一体になっていると共に上記レーザユニットの外枠をなす段差形状の樹脂部であり、
この段差形状の樹脂部は、上記第１のフレキシブル基板部の第１の孔を貫通すると共に上記第２のフレキシブル基板部に上記貫通方向に当接する第１の貫通部と、上記第１の貫通部から上記貫通方向に延在していて上記第２のフレキシブル基板部の第２の孔を貫通する第２の貫通部とを有することを特徴とする光ピックアップ装置。
【請求項３】
請求項１に記載の光ピックアップ装置において、
上記保持部は、上記レーザユニットの上記電極端子であり、
この電極端子は、段差形状であり、上記第１のフレキシブル基板部の第１の孔を貫通すると共に上記第２のフレキシブル基板部に上記貫通方向に当接する第１の貫通部と、上記第１の貫通部から上記貫通方向に延在していて上記第２のフレキシブル基板部の第２の孔を貫通する第２の貫通部とを有することを特徴とする光ピックアップ装置。
【請求項４】
請求項１に記載の光ピックアップ装置において、
上記保持部は、
上記レーザユニットの搭載部から上記貫通方向に延在していて上記第１のフレキシブル基板部を貫通すると共に上記第２のフレキシブル基板部に上記貫通方向に当接して上記第２のフレキシブル基板部の上記貫通方向の位置を決める延伸部であることを特徴とする光ピックアップ装置。
【請求項５】
請求項１に記載の光ピックアップ装置において、
上記レーザユニットが取り付けられるハウジングを有し、
上記保持部は、
上記ハウジングから上記貫通方向に延在していて上記第１のフレキシブル基板部を貫通すると共に上記第２のフレキシブル基板部に上記貫通方向に当接して上記第２のフレキシブル基板部の上記貫通方向の位置を決める延伸部であることを特徴とする光ピックアップ装置。
【請求項６】
請求項１に記載の光ピックアップ装置において、
上記保持部は、
上記レーザユニットの上記電極端子と一体になっていると共に上記レーザユニットの外枠をなすテーパ形状の樹脂部であり、
このテーパ形状の樹脂部は、上記第１のフレキシブル基板部の第１の孔を貫通する先細形状の第１の貫通部と、上記第１の貫通部から上記貫通方向に延在していると共に上記第２のフレキシブル基板部の第２の孔を貫通する先細形状の第２の貫通部とを有することを特徴とする光ピックアップ装置。
【請求項７】
請求項１に記載の光ピックアップ装置において、
上記保持部は、上記レーザユニットの上記電極端子であり、
この電極端子は、テーパ形状であり、上記第１のフレキシブル基板部の第１の孔を貫通する先細形状の第１の貫通部と、上記第１の貫通部から上記貫通方向に延在していると共に上記第２のフレキシブル基板部の第２の孔を貫通する先細形状の第２の貫通部とを有することを特徴とする光ピックアップ装置。
【請求項８】
請求項１に記載の光ピックアップ装置において、
上記保持部は、
上記レーザユニットの搭載部から上記貫通方向に延在しているテーパ形状の延伸部であり、
上記テーパ形状の延伸部は、上記第１のフレキシブル基板部に形成された第１嵌合孔に嵌合する第１嵌合部と、上記第２のフレキシブル基板部に形成された第２嵌合孔に嵌合する第２嵌合部とを有することを特徴とする光ピックアップ装置。
【請求項９】
請求項１に記載の光ピックアップ装置において、
上記レーザユニットが取り付けられるハウジングを有し、
上記保持部は、
上記ハウジングから上記貫通方向に延在しているテーパ形状の延伸部であり、
上記テーパ形状の延伸部は、上記第１のフレキシブル基板部に形成された第１嵌合孔に嵌合する第１嵌合部と、上記第２のフレキシブル基板部に形成された第２嵌合孔に嵌合する第２嵌合部とを有することを特徴とする光ピックアップ装置。
【請求項１０】
請求項１から９のいずれか１つに記載の光ピックアップ装置において、
上記第２のフレキシブル基板部は、上記第１のフレキシブル基板部に連なっていて、上記第１のフレキシブル基板部と第２のフレキシブル基板部とで１つのフレキシブル基板を構成していることを特徴とする光ピックアップ装置。
【請求項１１】
請求項１から１０のいずれか１つに記載の光ピックアップ装置を搭載したディスクドライブ装置。
【請求項１２】
請求項１から１０のいずれか１つに記載の光ピックアップ装置を製造する製造方法であって、
上記第１のフレキシブル基板部の第１の孔に上記レーザユニットの電極端子を貫通させ、上記電極端子に上記第１のフレキシブル基板部の第１の電気接続端子を電気的に接続してから、
上記第２のフレキシブル基板部の第２の孔に上記レーザユニットの電極端子を貫通させ、上記第１の電気接続端子と上記電極端子との接続箇所から上記貫通方向に所定間隔を隔てて、上記第２のフレキシブル基板部の第２の電気接続端子を上記電極端子に電気的に接続することを特徴とする光ピックアップ装置の製造方法。
【発明の詳細な説明】
【技術分野】
【０００１】
この発明は、一例として、光ディスクを記録,再生する光ピックアップ装置、ディスクドライブ装置および光ピックアップ装置の製造方法に関する。
【背景技術】
【０００２】
光ディスクを記録,再生するディスクドライブ装置において光ピックアップ装置のレーザユニットが、次の特許文献１(特開２００２−２３２０５９号公報)に開示されている。
【０００３】
この特許文献１に開示されているレーザユニットは、図１１に示すように、半導体レーザ１０１と、この半導体レーザ１０１を搭載する樹脂部１０２とを有し、電極端子１０３は樹脂部１０２に一体化されている。
【０００４】
また、特許文献２(特開平７−１４２８１３号公報)では、半導体レーザ２０１と、この半導体レーザ２０１を搭載するステム２０２とを有し、電極端子２０３はステム台２０４から延びている。
【０００５】
ところで、上記特許文献１,２に記載されたレーザユニットでは、電極端子１０３,２０３の延在方向の位置が異なる複数の基板の端子を電極端子１０３,２０３に半田等で電気的に接続するに際して困難が生じる。つまり、隣り合う２つの基板が接近していると、先に半田付けした一方の基板の半田付け箇所が、後に半田付けされる他方の基板の半田の熱で溶けて、上記一方の基板の半田付けによる接続がはずれることがある。また、一方の基板と他方の基板とを所定寸法だけ離間させるために設備治具などが必要になる。
【特許文献１】特開２００２−２３２０５９号公報
【特許文献２】特開平７−１４２８１３号公報
【発明の開示】
【発明が解決しようとする課題】
【０００６】
そこで、この発明の課題は、複数の基板に対するレーザユニットの電気的接続を確実に容易に行うことができる光ピックアップ装置、ディスクドライブ装置および光ピックアップ装置の製造方法を提供することにある。
【課題を解決するための手段】
【０００７】
上記課題を解決するため、この発明の光ピックアップ装置は、半導体レーザが搭載される搭載部とこの搭載部から所定の方向へ延在する複数の電極端子とを有するレーザユニットと、
上記電極端子が貫通する第１の孔と上記電極端子に電気的に接続される第１の電気接続端子とを有する第１のフレキシブル基板部と、
上記電極端子が貫通する第２の孔と上記電極端子に電気的に接続される第２の電気接続端子とを有する第２のフレキシブル基板部と、
上記第１のフレキシブル基板部と第２のフレキシブル基板部とが上記電極端子の延在方向に所定間隔を隔てて対向するように上記第１,第２のフレキシブル基板部を保持する保持部を備えることを特徴としている。
【０００８】
この発明の光ピックアップ装置によれば、上記保持部によって、上記第１のフレキシブル基板部と第２のフレキシブル基板部とが上記電極端子の上記貫通方向に所定間隔を隔てて対向するように上記第１,第２のフレキシブル基板部を保持する。よって、この発明によれば、２つのフレキシブル基板部が接近し過ぎるのを防止できると共に、２つのフレキシブル基板部を所定寸法だけ離間させるための設備治具が不要になり、２つのフレキシブル基板部に対するレーザユニットの電気的接続を確実に容易に行うことができる。
【０００９】
また、一実施形態の光ピックアップ装置では、上記保持部は、
上記レーザユニットの上記電極端子と一体になっていると共に上記レーザユニットの外枠をなす段差形状の樹脂部であり、
この段差形状の樹脂部は、上記第１のフレキシブル基板部の第１の孔を貫通すると共に上記第２のフレキシブル基板部に上記貫通方向に当接する第１の貫通部と、上記第１の貫通部から上記貫通方向に延在していて上記第２のフレキシブル基板部の第２の孔を貫通する第２の貫通部とを有する。
【００１０】
この実施形態の光ピックアップ装置によれば、上記電極端子と一体になっているレーザユニットの樹脂部を段差形状にすることで、この段差形状の樹脂部を、上記第１,第２のフレキシブル基板部を上記所定間隔を隔てて対向するように保持する保持部としている。よって、この実施形態によれば、上記樹脂部の段差によって、追加部品を要することなく、上記レーザユニットの上記電極端子と上記第１のフレキシブル基板部の第１の電気接続端子とが電気的に接続される箇所から上記貫通方向に離間した箇所で第２のフレキシブル基板部を確実に保持できる。
【００１１】
また、一実施形態の光ピックアップ装置では、上記保持部は、上記レーザユニットの上記電極端子であり、
この電極端子は、段差形状であり、上記第１のフレキシブル基板部の第１の孔を貫通すると共に上記第２のフレキシブル基板部に上記貫通方向に当接する第１の貫通部と、上記第１の貫通部から上記貫通方向に延在していて上記第２のフレキシブル基板部の第２の孔を貫通する第２の貫通部とを有する。
【００１２】
この実施形態の光ピックアップ装置によれば、上記レーザユニットの上記電極端子を段差形状にすることで、この段差形状の電極端子を、上記第１,第２のフレキシブル基板部を上記所定間隔を隔てて対向するように保持する保持部としている。よって、この実施形態によれば、上記電極端子の段差によって、追加部品を要することなく、上記レーザユニットの上記電極端子と上記第１のフレキシブル基板部の第１の電気接続端子とが電気的に接続される箇所から上記貫通方向に離間した箇所で第２のフレキシブル基板部を確実に保持できる。
【００１３】
また、一実施形態の光ピックアップ装置では、上記保持部は、
上記レーザユニットの搭載部から上記貫通方向に延在していて上記第１のフレキシブル基板を貫通すると共に上記第２のフレキシブル基板に上記貫通方向に当接して上記第２のフレキシブル基板の上記貫通方向の位置を決める延伸部である。
【００１４】
この実施形態の光ピックアップ装置によれば、上記レーザユニットの搭載部から上記貫通方向に延在している延伸部が上記保持部を構成している。よって、この実施形態によれば、上記搭載部からの延伸部によって、追加部品を要することなく、上記第１のフレキシブル基板部から上記貫通方向に離間した箇所で第２のフレキシブル基板部を確実に保持できる。
【００１５】
また、一実施形態の光ピックアップ装置では、上記レーザユニットが取り付けられるハウジングを有し、
上記保持部は、
上記ハウジングから上記貫通方向に延在していて上記第１のフレキシブル基板を貫通すると共に上記第２のフレキシブル基板に上記貫通方向に当接して上記第２のフレキシブル基板の上記貫通方向の位置を決める延伸部である。
【００１６】
この実施形態の光ピックアップ装置によれば、上記レーザユニットが取り付けられる上記ハウジングから上記貫通方向に延在している延伸部が上記保持部を構成している。よって、この実施形態によれば、上記ハウジングから延びている延伸部によって、追加部品を要することなく、上記第１のフレキシブル基板部から上記貫通方向に離間した箇所で第２のフレキシブル基板部を確実に保持できる。
【００１７】
また、一実施形態の光ピックアップ装置では、上記保持部は、上記レーザユニットの上記電極端子と一体になっていると共に上記レーザユニットの外枠をなすテーパ形状の樹脂部であり、このテーパ形状の樹脂部は、上記第１のフレキシブル基板部の第１の孔を貫通する先細形状の第１の貫通部と、上記第１の貫通部から上記貫通方向に延在していると共に上記第２のフレキシブル基板部の第２の孔を貫通する先細形状の第２の貫通部とを有する。
【００１８】
この実施形態の光ピックアップ装置によれば、上記電極端子が嵌合しているレーザユニットの樹脂部をテーパ形状にすることで、このテーパ形状の樹脂部を、上記第１,第２のフレキシブル基板部を上記所定間隔を隔てて対向するように保持する保持部としている。よって、この実施形態によれば、上記テーパ形状の樹脂部の第１,第２の貫通部によって、追加部品を要することなく、上記レーザユニットの上記電極端子と上記第１のフレキシブル基板部の第１の電気接続端子とが電気的に接続される箇所から上記貫通方向に離間した箇所で第２のフレキシブル基板部を確実に保持できる。
【００１９】
また、一実施形態の光ピックアップ装置では、上記保持部は、上記レーザユニットの上記電極端子であり、この電極端子は、テーパ形状であり、上記第１のフレキシブル基板部の第１の孔を貫通する先細形状の第１の貫通部と、上記第１の貫通部から上記貫通方向に延在していると共に上記第２のフレキシブル基板部の第２の孔を貫通する先細形状の第２の貫通部とを有する。
【００２０】
この実施形態の光ピックアップ装置によれば、上記レーザユニットの上記電極端子をテーパ形状にすることで、このテーパ形状の電極端子を、上記第１,第２のフレキシブル基板部を上記所定間隔を隔てて対向するように保持する保持部としている。よって、この実施形態によれば、上記テーパ形状の電極端子の先細の第１,第２の貫通部によって、追加部品を要することなく、上記レーザユニットの上記電極端子と上記第１のフレキシブル基板部の第１の電気接続端子とが電気的に接続される箇所から上記貫通方向に離間した箇所で第２のフレキシブル基板部を確実に保持できる。
【００２１】
また、一実施形態の光ピックアップ装置では、上記保持部は、
上記レーザユニットの搭載部から上記貫通方向に延在しているテーパ形状の延伸部であり、上記テーパ形状の延伸部は、上記第１のフレキシブル基板部に形成された第１嵌合孔に嵌合する第１嵌合部と、上記第２のフレキシブル基板部に形成された第２嵌合孔に嵌合する第２嵌合部とを有する。
【００２２】
この実施形態の光ピックアップ装置によれば、上記レーザユニットの搭載部から上記貫通方向に延在しているテーパ形状の延伸部が上記保持部を構成している。よって、この実施形態によれば、上記搭載部からテーパ形状に延在している延伸部によって、追加部品を要することなく、上記第１のフレキシブル基板部の第１嵌合孔が嵌合している第１嵌合部から上記貫通方向に離間した箇所で第２のフレキシブル基板部の第２嵌合孔に第２嵌合部を嵌合させて確実に保持できる。
【００２３】
また、一実施形態の光ピックアップ装置では、上記レーザユニットが取り付けられるハウジングを有し、
上記保持部は、
上記ハウジングから上記貫通方向に延在しているテーパ形状の延伸部であり、
上記テーパ形状の延伸部は、上記第１のフレキシブル基板部に形成された第１嵌合孔に嵌合する第１嵌合部と、上記第２のフレキシブル基板部に形成された第２嵌合孔に嵌合する第２嵌合部とを有する
この実施形態の光ピックアップ装置によれば、上記レーザユニットが取り付けられるハウジングから上記貫通方向に延在しているテーパ形状の延伸部が上記保持部を構成している。よって、この実施形態によれば、上記テーパ形状の延伸部に第１のフレキシブル基板部の第１嵌合孔が嵌合している第１嵌合部から上記貫通方向に離間した箇所で第２のフレキシブル基板部の第２嵌合孔に上記第２嵌合部を嵌合させて確実に保持できる。
【００２４】
また、一実施形態の光ピックアップ装置では、上記第２のフレキシブル基板部は、上記第１のフレキシブル基板部に連なっていて、上記第１のフレキシブル基板部と第２のフレキシブル基板部とで１つのフレキシブル基板を構成している。
【００２５】
この実施形態の光ピックアップ装置によれば、１つのフレキシブル基板の第１および第２のフレキシブル基板部を、上記レーザユニットの電極端子に対して立体的に接続できる。
【００２６】
また、一実施形態のディスクドライブ装置は、上記光ピックアップ装置を搭載したことで、複数の基板に対するレーザユニットの電気的接続を確実に容易に行うことができるので、生産性の向上を図れる。
【００２７】
また、一実施形態の光ピックアップ装置の製造方法は、上記光ピックアップ装置を製造する製造方法であって、
上記第１のフレキシブル基板部の第１の孔に上記レーザユニットの電極端子を貫通させ、上記電極端子に上記第１のフレキシブル基板部の第１の電気接続端子を電気的に接続してから、
上記第２のフレキシブル基板部の第２の孔に上記レーザユニットの電極端子を貫通させ、上記第１の電気接続端子と上記電極端子との接続箇所から上記貫通方向に所定間隔を隔てて、上記第２のフレキシブル基板部の第２の電気接続端子を上記電極端子に電気的に接続する。
【００２８】
この実施形態の光ピックアップ装置の製造方法によれば、上記第１のフレキシブル基板部と第２のフレキシブル基板部とを所定寸法だけ離間させるための設備治具などを用いることなく、第１のフレキシブル基板部と第２のフレキシブル基板部とを所定間隔だけ離隔させた状態で、第１,第２のフレキシブル基板部の第１,第２の電気接続端子をレーザユニットの電極端子に電気的に接続できる。
【発明の効果】
【００２９】
この発明の光ピックアップ装置によれば、保持部によって、第１のフレキシブル基板部と第２のフレキシブル基板部とが電極端子の貫通方向に所定間隔を隔てて対向するように上記第１,第２のフレキシブル基板部を保持する。よって、この発明によれば、２つのフレキシブル基板部が接近し過ぎるのを防止できると共に、２つのフレキシブル基板部を所定寸法だけ離間させるための設備治具が不要になり、２つのフレキシブル基板部に対するレーザユニットの電気的接続を確実に容易に行うことができる。
【発明を実施するための最良の形態】
【００３０】
以下、この発明を図示の実施の形態により詳細に説明する。
【００３１】
(第１の実施の形態)
図１Ａに、この発明の光ピックアップ装置の第１実施形態を側方から見た様子を模式的に示す。また、図１Ｂは、上記第１実施形態を下方から見た様子を模式的に示す裏面模式図である。
【００３２】
この第１実施形態の光ピックアップ装置は、半導体レーザ１を搭載する搭載部２とこの搭載部２から所定の方向へ延在する複数の電極端子３とを有するレーザユニット５を有する。このレーザユニット５は、上記電極端子３と一体になっていると共に上記レーザユニット５の外枠をなす段差形状の樹脂部１１を有する。
【００３３】
また、この第１実施形態は、上記電極端子３が貫通する第１の孔６と上記電極端子３に半田１５で電気的に接続される第１の電気接続端子(図示せず)とを有する第１のフレキシブル基板７と、上記電極端子３が貫通する第２の孔８と上記電極端子３に半田１６で電気的に接続される第２の電気接続端子(図示せず)とを有する第２のフレキシブル基板１０とを有する。上記第１のフレキシブル基板７は、搭載部２のステム２Ａの裏面に当接され、このステム２Ａでもって上記貫通方向の位置決めがなされている。
【００３４】
そして、上記段差形状の樹脂部１１は、第１のフレキシブル基板７の第１の孔６を貫通すると共に上記第２のフレキシブル基板１０に上記貫通方向に当接する第１の貫通部１１Ａと、上記第１の貫通部１１Ａから上記貫通方向に延在していて上記第２のフレキシブル基板１０の第２の孔８を貫通する第２の貫通部１１Ｂとを有する。
【００３５】
図１Ｂに示すように、第２の孔８の長手方向の寸法は、第１の孔６の長手方向の寸法よりも短く、第２の孔８の短手方向の寸法は第１の孔６の長手方向の寸法とほぼ同等である。また、図１Ａに示すように、上記段差形状の樹脂部１１の第１の貫通部１１Ａの長手方向の寸法は、第２の貫通部１１Ｂの長手方向の寸法よりも長く、第１の貫通部１１Ａの短手方向の寸法は第２の貫通部１１Ｂの短手方向の寸法とほぼ同等である。
【００３６】
この実施形態は、次のようにして作製される。先ず、上記第１のフレキシブル基板７の第１の孔６に上記レーザユニット５の電極端子３と一体の樹脂部１１の第１の貫通部１１Ａを貫通させ、上記電極端子３に半田１５で上記第１のフレキシブル基板７の第１の電気接続端子(図示せず)を電気的に接続する。次に、上記第２のフレキシブル基板１０の第２の孔８に上記レーザユニット５の電極端子３と一体の樹脂部１１の第２の貫通部１１Ｂを貫通させ、上記第１の電気接続端子と上記電極端子３との接続箇所から上記貫通方向に所定間隔を隔てて、上記第２のフレキシブル基板１０の第２の電気接続端子(図示せず)を上記電極端子３に半田１６で電気的に接続する。
【００３７】
ここで、この第１実施形態によれば、上記電極端子３と一体になっているレーザユニット５の樹脂部１１を段差形状にすることで、この段差形状の樹脂部１１を、上記第１,第２のフレキシブル基板部７,１０を上記所定間隔を隔てて対向するように保持する保持部としている。よって、この実施形態によれば、上記樹脂部１１の段差１１Ｃによって、追加部品を要することなく、上記レーザユニット５の上記電極端子３と上記第１のフレキシブル基板７の上記第１の電気接続端子(図示せず)とが電気的に接続される箇所から上記貫通方向に離間した箇所で第２のフレキシブル基板１０を確実に保持できる。
【００３８】
よって、この実施形態によれば、２つのフレキシブル基板７,１０が接近し過ぎるのを防止でき、フレキシブル基板７と１０の離間距離が確保されているので、フレキシブル基板１０の半田１６による半田付け時にフレキシブル基板７の半田１５を熔かすといった不具合を回避できる。また、２つのフレキシブル基板７,１０を所定寸法だけ離間させるための設備治具が不要になる。これにより、２つのフレキシブル基板７,１０に対するレーザユニット５の電気的接続を確実に容易に行うことができる。
【００３９】
(第２の実施の形態)
次に、図２に、この発明の光ピックアップ装置の第２実施形態を側方から診た様子を示す。
【００４０】
この第２実施形態は、前述の第１実施形態の電極端子３に替えて、段差形状の電極端子２３を有する点と、段差形状の樹脂部１１を有していない点とが、前述の第１実施形態と異なる。よって、この第２実施形態では、前述の第１実施形態と同様の部分は同様の符号を付して前述の第１実施形態と異なる点を主に説明する。
【００４１】
この第２実施形態の光ピックアップ装置では、上記レーザユニット５の上記電極端子２３を保持部としている。
【００４２】
図２に示すように、この電極端子２３は、段差形状であり、上記第１のフレキシブル基板７の第１の孔６を貫通すると共に上記第２のフレキシブル基板１０に上記貫通方向に当接する第１の貫通部２３Ａと、この第１の貫通部２３Ａから上記貫通方向に延在していて上記第２のフレキシブル基板１０の第２の孔８を貫通する第２の貫通部２３Ｂとを有する。この第１の貫通部２３Ａと第２の貫通部２３Ｂとが段差部２５を構成している。
【００４３】
よって、この実施形態によれば、上記電極端子２３の段差部２５によって、追加部品を要することなく、レーザユニット５の電極端子２３と第１のフレキシブル基板７の第１の電気接続端子(図示せず)とが半田１５で電気的に接続される箇所から上記貫通方向に離間した箇所で第２のフレキシブル基板１０を確実に保持できる。
【００４４】
よって、この実施形態によれば、２つのフレキシブル基板７,１０が接近し過ぎるのを防止でき、フレキシブル基板７と１０の離間距離が確保されているので、フレキシブル基板１０の半田１６による半田付け時にフレキシブル基板７の半田１５を熔かすといった不具合を回避できる。また、２つのフレキシブル基板７,１０を所定寸法だけ離間させるための設備治具が不要になる。これにより、２つのフレキシブル基板７,１０に対するレーザユニット５の電気的接続を確実に容易に行うことができる。
【００４５】
(第３の実施の形態)
次に、図３に、この発明の光ピックアップ装置の第３実施形態を側方から診た様子を示す。
【００４６】
この第３実施形態は、前述の第１実施形態の段差形状の樹脂部１１に替えて、非段差形状の樹脂部３１を有する点と、搭載部２のステム２Ａから上記貫通方向に延在する延伸部３２を有する点、および、第１のフレキシブル基板７が第２のフレキシブル基板１０の第２の孔８と同等のサイズの第１の孔９を有する点とが、前述の第１実施形態と異なる。よって、この第３実施形態では、前述の第１実施形態と同様の部分は同様の符号を付して前述の第１実施形態と異なる点を主に説明する。
【００４７】
この第３実施形態の光ピックアップ装置では、搭載部２のステム２Ａから上記貫通方向に延在する延伸部３２を保持部としている。
【００４８】
図３に示すように、この延伸部３２は、上記レーザユニット５の搭載部２から上記貫通方向に延在していて上記第１のフレキシブル基板７の貫通穴３９を貫通すると共に上記第２のフレキシブル基板１０に上記貫通方向に当接して上記第２のフレキシブル基板１０の上記貫通方向の位置を決める。
【００４９】
この実施形態は、次のようにして作製される。先ず、上記第１のフレキシブル基板７の第１の孔９と貫通穴３９に上記レーザユニット５の樹脂部３１と上記延伸部３２を貫通させ、上記電極端子３に半田１５で上記第１のフレキシブル基板７の第１の電気接続端子(図示せず)を電気的に接続する。次に、上記第２のフレキシブル基板１０の第２の孔８に上記レーザユニット５の樹脂部３１を貫通させ、上記第１の電気接続端子と上記電極端子３との接続箇所から上記貫通方向に所定間隔を隔てて、上記第２のフレキシブル基板１０の第２の電気接続端子(図示せず)を上記電極端子３に半田１６で電気的に接続する。
【００５０】
ここで、この実施形態の光ピックアップ装置によれば、上記レーザユニット５の搭載部２から上記貫通方向に延在している延伸部３２が上記保持部を構成している。よって、この実施形態によれば、上記搭載部２からの延伸部３２によって、追加部品を要することなく、上記第１のフレキシブル基板７から上記貫通方向に離間した箇所で第２のフレキシブル基板１０を確実に保持できる。
【００５１】
よって、この実施形態によれば、２つのフレキシブル基板７,１０が接近し過ぎるのを防止でき、フレキシブル基板７と１０の離間距離が確保されているので、フレキシブル基板１０の半田１６の半田付け時にフレキシブル基板７の半田１５を熔かすといった不具合を回避できる。また、２つのフレキシブル基板７,１０を所定寸法だけ離間させるための設備治具が不要になる。これにより、２つのフレキシブル基板７,１０に対するレーザユニット５の電気的接続を確実に容易に行うことができる。
【００５２】
(第４の実施の形態)
次に、図４に、この発明の光ピックアップ装置の第４実施形態を側方から診た様子を示す。
【００５３】
この第４実施形態は、前述の第３実施形態の延伸部３２に替えて、上記レーザユニット５が取り付けられるハウジング４１から上記貫通方向に延在している延伸部４２を有する点が、前述の第３実施形態と異なる。よって、この第４実施形態では、前述の第１実施形態と同様の部分は同様の符号を付して前述の第１実施形態と異なる点を主に説明する。
【００５４】
この第４実施形態では、上記ハウジング４１から上記貫通方向に延在している延伸部４２を保持部としている。
【００５５】
図４に示すように、この延伸部４２は、上記ハウジング４１から上記貫通方向に延在していて上記第１のフレキシブル基板７に形成された貫通穴７Ｂを貫通すると共に上記第２のフレキシブル基板１０に上記貫通方向に当接して上記第２のフレキシブル基板１０の上記貫通方向の位置を決める。
【００５６】
この実施形態の光ピックアップ装置によれば、上記レーザユニット５が取り付けられるハウジング４１から上記貫通方向に延在している延伸部４２によって、追加部品を要することなく、上記第１のフレキシブル基板７から上記貫通方向に離間した箇所で第２のフレキシブル基板１０を確実に保持できる。
【００５７】
よって、この実施形態によれば、２つのフレキシブル基板７,１０が接近し過ぎるのを防止でき、フレキシブル基板７と１０の離間距離が確保されているので、フレキシブル基板１０の半田１６の半田付け時にフレキシブル基板７の半田１５を熔かすといった不具合を回避できる。また、２つのフレキシブル基板７,１０を所定寸法だけ離間させるための設備治具が不要になる。これにより、２つのフレキシブル基板７,１０に対するレーザユニット５の電気的接続を確実に容易に行うことができる。
【００５８】
(第５の実施の形態)
次に、図５に、この発明の光ピックアップ装置の第５実施形態を側方から診た様子を示す。
【００５９】
この第５実施形態は、前述の第１実施形態の段差形状の樹脂部１１に替えて、テーパ形状の樹脂部５１を有する点、および、第１,第２のフレキシブル基板７,１０がテーパ状の第１,第２の孔５２,５３を有する点が、前述の第１実施形態と異なる。よって、この第５実施形態では、前述の第１実施形態と同様の部分は同様の符号を付して前述の第１実施形態と異なる点を主に説明する。
【００６０】
この第５実施形態では、上記レーザユニット５の上記電極端子３と一体になっていると共に上記レーザユニット５の外枠をなすテーパ形状の樹脂部５１を保持部としている。
【００６１】
図５に示すように、このテーパ形状の樹脂部５１は、上記第１のフレキシブル基板７のテーパ状の第１の孔５２を貫通する先細形状の第１の貫通部５１Ａと、上記第１の貫通部５１Ａから上記貫通方向に延在していると共に上記第２のフレキシブル基板１０の第２の孔５３を貫通する先細形状の第２の貫通部５１Ｂとを有する。
【００６２】
この実施形態は、次のようにして作製される。先ず、上記第１のフレキシブル基板７の第１の孔５２に上記レーザユニット５のテーパ形状の樹脂部５１の第１の貫通部５１Ａを貫通させ、上記電極端子３に半田１５で上記第１のフレキシブル基板７の第１の電気接続端子(図示せず)を電気的に接続する。次に、上記第２のフレキシブル基板１０の第２の孔５３に上記レーザユニット５のテーパ形状の樹脂部５１の第２の貫通部５１Ｂを貫通させ、上記第１の電気接続端子と上記電極端子３との接続箇所から上記貫通方向に所定間隔を隔てて、上記第２のフレキシブル基板１０の第２の電気接続端子(図示せず)を上記電極端子３に半田１６で電気的に接続する。
【００６３】
ここで、この実施形態の光ピックアップ装置によれば、上記電極端子３と一体になっているレーザユニット５の樹脂部５１をテーパ形状にすることで、このテーパ形状の樹脂部５１を、上記第１,第２のフレキシブル基板７,１０を所定間隔を隔てて対向するように保持する保持部としている。よって、この実施形態によれば、上記テーパ形状の樹脂部５１の第１,第２の貫通部５１Ａ,５１Ｂによって、追加部品を要することなく、上記レーザユニット５の上記電極端子３と上記第１のフレキシブル基板７の第１の電気接続端子(図示せず)とが電気的に接続される箇所から上記貫通方向に離間した箇所で第２のフレキシブル基板部１０を確実に保持できる。
【００６４】
よって、この実施形態によれば、２つのフレキシブル基板７,１０が接近し過ぎるのを防止でき、フレキシブル基板７と１０の離間距離が確保されているので、フレキシブル基板１０の半田１６による半田付け時にフレキシブル基板７の半田１５を熔かすといった不具合を回避できる。また、２つのフレキシブル基板７,１０を所定寸法だけ離間させるための設備治具が不要になる。これにより、２つのフレキシブル基板７,１０に対するレーザユニット５の電気的接続を確実に容易に行うことができる。
【００６５】
(第６の実施の形態)
次に、図６に、この発明の光ピックアップ装置の第６実施形態を側方から診た様子を示す。
【００６６】
この第６実施形態は、前述の第２実施形態の段差形状の電極端子２３に替えて、テーパ形状の電極端子６１を有する点が、前述の第２実施形態と異なる。よって、この第６実施形態では、前述の第２実施形態と同様の部分は同様の符号を付して前述の第２実施形態と異なる点を主に説明する。
【００６７】
この第６実施形態の光ピックアップ装置では、上記レーザユニット５の上記テーパ形状の電極端子６１を保持部としている。
【００６８】
図６に示すように、このテーパ形状の電極端子６１は、上記第１のフレキシブル基板７の第１の孔６２を貫通する先細形状の第１の貫通部６１Ａと、上記第１の貫通部６１Ａから上記貫通方向に延在していると共に上記第２のフレキシブル基板１０の第２の孔６３を貫通する先細形状の第２の貫通部６１Ｂとを有する。
【００６９】
上記レーザユニット５の上記電極端子６１をテーパ形状にすることで、このテーパ形状の電極端子６１を、上記第１,第２のフレキシブル基板７,１０を所定間隔を隔てて対向するように保持する保持部としている。よって、この実施形態によれば、上記テーパ形状の電極端子６１の先細の第１,第２の貫通部６１Ａ,６１Ｂによって、追加部品を要することなく、上記レーザユニット５の上記電極端子６１と上記第１のフレキシブル基板７の第１の電気接続端子(図示せず)とが半田１５で電気的に接続される箇所から上記貫通方向に離間した箇所で第２のフレキシブル基板１０を確実に保持できる。
【００７０】
よって、この実施形態によれば、２つのフレキシブル基板７,１０が接近し過ぎるのを防止でき、フレキシブル基板７と１０の離間距離が確保されているので、フレキシブル基板１０の半田１６による半田付け時にフレキシブル基板７の半田１５を熔かすといった不具合を回避できる。また、２つのフレキシブル基板７,１０を所定寸法だけ離間させるための設備治具が不要になる。これにより、２つのフレキシブル基板７,１０に対するレーザユニット５の電気的接続を確実に容易に行うことができる。
【００７１】
(第７の実施の形態)
次に、図７に、この発明の光ピックアップ装置の第７実施形態を側方から診た様子を示す。
【００７２】
この第７実施形態は、図３の第３実施形態の延伸部３２に替えて、搭載部２のステム２Ａから上記貫通方向に延在しているテーパ形状の延伸部７１を有する点と、第１,第２のフレキシブル基板７,１０が第１,第２の孔９,８に加えて第１,第２嵌合孔７２,７３を有する点とが、前述の第３実施形態と異なる。よって、この第７実施形態では、前述の第３実施形態と同様の部分は同様の符号を付して前述の第３実施形態と異なる点を主に説明する。
【００７３】
この第７実施形態では、上記レーザユニット５の搭載部２から上記貫通方向に延在しているテーパ形状の延伸部７１を、保持部としている。
【００７４】
図７に示すように、このテーパ形状の延伸部７１は、第１のフレキシブル基板７に形成された第１嵌合孔７２に嵌合する先細の第１嵌合部７１Ａと、上記第２のフレキシブル基板１０に形成された第２嵌合孔７３に嵌合する先細の第２嵌合部７１Ｂとを有する。
【００７５】
この実施形態は、次のようにして作製される。先ず、上記第１のフレキシブル基板７の第１の孔９と第１嵌合孔７２に上記レーザユニット５の樹脂部３１とテーパ形状の延伸部７１を貫通させ、上記電極端子３に半田１５で上記第１のフレキシブル基板７の第１の電気接続端子(図示せず)を電気的に接続する。次に、上記第２のフレキシブル基板１０の第２の孔８と第２嵌合孔７３に上記レーザユニット５の樹脂部３１とテーパ形状の延伸部７１を貫通させ、上記第１の電気接続端子と上記電極端子３との接続箇所から上記貫通方向に所定間隔を隔てて、上記第２のフレキシブル基板１０の第２の電気接続端子(図示せず)を上記電極端子３に半田１６で電気的に接続する。
【００７６】
ここで、この実施形態の光ピックアップ装置によれば、上記レーザユニット５の搭載部２から上記貫通方向に延在しているテーパ形状の延伸部７１が上記保持部を構成している。よって、この実施形態によれば、上記搭載部２からテーパ形状に延在している延伸部７１によって、追加部品を要することなく、上記第１のフレキシブル基板７の第１嵌合孔７２が嵌合している第１嵌合部７１Ａから上記貫通方向に離間した箇所で第２のフレキシブル基板１０の第２嵌合孔７３に第２嵌合部７１Ｂを嵌合させて確実に保持できる。
【００７７】
(第８の実施の形態)
次に、図８に、この発明の光ピックアップ装置の第８実施形態を側方から診た様子を示す。
【００７８】
この第８実施形態は、図４の第４実施形態のハウジング４１から延在する延伸部４２に替えて、ハウジング８１から延在するテーパ形状の延伸部８２を有する点と、第１,第２のフレキシブル基板７,１０が上記テーパ形状の延伸部８２に嵌合する先細の第１,第２嵌合孔８３,８４を有する点とが、前述の第４実施形態と異なる。よって、この第８実施形態では、前述の第４実施形態と同様の部分は同様の符号を付して前述の第４実施形態と異なる点を主に説明する。
【００７９】
この第８実施形態では、上記ハウジング８１から上記貫通方向に延在しているテーパ形状の延伸部８２を保持部としている。
【００８０】
図８に示すように、このテーパ形状の延伸部８２は、上記ハウジング８１から上記貫通方向に延在していて、第１のフレキシブル基板７に形成された第１嵌合孔８３に嵌合する第１嵌合部８２Ａと、第２のフレキシブル基板１０に形成された第２嵌合孔８４に嵌合する第２嵌合部８２Ｂとを有する。
【００８１】
この実施形態によれば、上記テーパ形状の延伸部８２に第１のフレキシブル基板７の第１嵌合孔８３が嵌合している第１嵌合部８２Ａから上記貫通方向に離間した箇所で第２のフレキシブル基板１０の第２嵌合孔８４に第２嵌合部８２Ｂを嵌合させて確実に保持できる。
【００８２】
尚、上記第１〜第８実施形態において、図１０に示すように、第１のフレキシブル基板７と第２のフレキシブル基板１０とが接続部分９０Ａで連なって連続している１つのフレキシブル基板９０を備えてもよい。この１つのフレキシブル基板９０は、第１のフレキシブル基板７と第２のフレキシブル基板１０との接続部分９０Ａで折り曲げられて、レーザユニット５の搭載部２から延在する樹脂部１１(あるいは３１,５１,電極端子２３,６１)が、第１,第２のフレキシブル基板７,１０の第１,第２の孔６,８を貫通している。この場合、１つのフレキシブル基板９０の第１,第２のフレキシブル基板７,１０を、レーザユニット５の電極端子に対して立体的に接続できる。
【００８３】
例えば、図９に示すように、上述の第１実施形態の光ピックアップ装置が、第１のフレキシブル基板７と第２のフレキシブル基板１０とが接続部分９０Ａで接続された１つのフレキシブル基板９０を有する場合、先ず、第１のフレキシブル基板７の第１の孔６に、図１Ａに示す段差形状の樹脂部１１の第１貫通部１１Ａを挿入して、電極端子３と第１のフレキシブル基板７の第１の電気接続端子(図示せず)とを半田１５で電気的に接続する。
【００８４】
次に、上記フレキシブル基板９０の接続部分９０Ａで上記第２のフレキシブル基板１０を折り曲げて、第２のフレキシブル基板１０の第２の孔８に、段差形状の樹脂部１１の第２貫通部１１Ｂを挿入して、電極端子３と第２のフレキシブル基板１０の第２の電気接続端子(図示せず)とを半田１６で電気的に接続する。
【００８５】
ここで、第２のフレキシブル基板１０の第２の孔８は、第１のフレキシブル基板７の第１の孔６よりも小さく、第２の貫通部１１Ｂは貫通できるが、第２の貫通部１１Ｂより大きな第１の貫通部１１Ａは貫通できない。つまり、第２のフレキシブル基板１０は、段差形状の樹脂部１１の段差１１Ｃに当たって、第１のフレキシブル基板７と離間した状態となる。
【００８６】
したがって、第２のフレキシブル基板１０の第２の電気接続端子(図示せず)を半田１６で電極端子３に電気的に接続する際に、第２のフレキシブル基板１０に熱が伝わることを防いで、半田１６による半田付け時に第１のフレキシブル基板７の半田１５を溶かす不具合を回避できる。
【００８７】
尚、上記実施形態では、２つのフレキシブル基板を有する光ピックアップ装置を説明したが、３つ以上のフレキシブル基板を有する光ピックアップ装置にも本発明を適用できる。また、上記実施形態の光ピックアップ装置を搭載したディスクドライブ装置によれば、複数のフレキシブル基板に対するレーザユニットの電気的接続を確実に容易に行うことができるので、生産性の向上を図れる。
【図面の簡単な説明】
【００８８】
【図１Ａ】この発明の光ピックアップ装置の第１実施形態を側方から見た様子を模式的に示す図である。
【図１Ｂ】上記第１実施形態を裏面から見た様子を示す裏面模式図である。
【図２】この発明の光ピックアップ装置の第２実施形態を側方から見た様子を模式的に示す図である。
【図３】この発明の光ピックアップ装置の第３実施形態を側方から見た様子を模式的に示す図である。
【図４】この発明の光ピックアップ装置の第４実施形態を側方から見た様子を模式的に示す図である。
【図５】この発明の光ピックアップ装置の第５実施形態を側方から見た様子を模式的に示す図である。
【図６】この発明の光ピックアップ装置の第６実施形態を側方から見た様子を模式的に示す図である。
【図７】この発明の光ピックアップ装置の第７実施形態を側方から見た様子を模式的に示す図である。
【図８】この発明の光ピックアップ装置の第８実施形態を側方から見た様子を模式的に示す図である。
【図９】上記第１実施形態の変形例が有するフレキシブル基板９０を示す平面図である。
【図１０】上記変形例が有するフレキシブル基板９０を側方から見た様子を模式的に示す図である。
【図１１】第１従来例のレーザユニットを示す図である。
【図１２】第２従来例のレーザユニットを示す図である。
【符号の説明】
【００８９】
１  半導体レーザ
２  搭載部
２Ａ  ステム
３、２３  電極端子
５  レーザユニット
６  第１の孔
７  第１のフレキシブル基板
８  第２の孔
１０  第２のフレキシブル基板
１１、３１  樹脂部
１１Ａ  第１の貫通部
１１Ｂ  第２の貫通部
１１Ｃ  段差
１５、１６  半田
２３Ａ  第１の貫通部
２３Ｂ  第２の貫通部
２５  段差部
３１  樹脂部
３２  延伸部
３９  貫通穴
４１  ハウジング
４２  延伸部
５１  樹脂部
５１Ａ  第１の貫通部
５１Ｂ  第２の貫通部
５２  第１の孔
５３  第２の孔
６１  テーパ形状の電極端子
６１Ａ  第１の貫通部
６１Ｂ  第２の貫通部
６２  第１の孔
６３  第２の孔
７１、８２  テーパ形状の延伸部
７１Ａ、８２Ａ  第１嵌合部
７１Ｂ、８２Ｂ  第２嵌合部
７２、８３  第１嵌合孔
７３、８４  第２嵌合孔
９０  フレキシブル基板
９０Ａ  接続部分
【図１Ａ】
2009146534.tif 000003
【図１Ｂ】
2009146534.tif 000004
【図２】
2009146534.tif 000005
【図３】
2009146534.tif 000006
【図４】
2009146534.tif 000007
【図５】
2009146534.tif 000008
【図６】
2009146534.tif 000009
【図７】
2009146534.tif 000010
【図８】
2009146534.tif 000011
【図９】
2009146534.tif 000012
【図１０】
2009146534.tif 000013
【図１１】
2009146534.tif 000014
【図１２】
2009146534.tif 000015